(57)【特許請求の範囲】
【請求項１】
タンクバンドによって車体に取り付けられる燃料タンクと、前記車体との間に介在される防振部材の取付構造において、
前記車体には、前記タンクバンドの締付方向と直交する方向に固定孔が穿設され、
前記防振部材は、前記固定孔に係止される係合突起を有する取付部材と、
前記係合突起が挿入される貫通孔を有するクッション部材と、を備え、
前記取付部材には、前記係合突起の基端部周辺部位から外方向に放射状に突出形成された複数の突出片が、一体形成され、
前記クッション部材には、前記複数の突出片が係合すると共に、前記貫通孔の周辺部位から放射方向外方に向けて延設された段差部と、
前記取付部材を当該クッション部材に組み付けた際に、前記貫通孔の周辺部位から放射方向外方に向けて配置される前記複数の突出片の間に介在されると共に、前記クッション部材の盤面から突出して形成されて前記燃料タンクの側面に当接する複数の突部と、
が一体形成されていることを特徴とする防振部材の取付構造。
【請求項２】
前記突出片は、正面視してＸ字状に形成されていることを特徴とする請求項１に記載の防振部材の取付構造。
【請求項３】
前記突部には、切込溝が形成されていることを特徴とする請求項１に記載の防振部材の取付構造。
【請求項４】
前記取付部材は、前記係合突起を前記クッション部材の前記貫通孔および車体の前記固定孔に挿通させた際に、前記固定孔の開口縁に係止する係止部を有することを特徴とする請求項３に記載の防振部材の取付構造。
【請求項５】
前記取付部材は、前記係合突起の基端部の周囲に形成されたフランジ部を有し、
前記突出片は、前記フランジ部から外方向に突出形成されていることを特徴とする請求項１ないし請求項４のいずれか１項に記載の防振部材の取付構造。
【請求項６】
前記クッション部材は、合成ゴムによって形成され、
前記取付部材は、前記クッション部材より硬質の合成樹脂によって形成されていることを特徴とする請求項１ないし請求項５のいずれか１項に記載の防振部材の取付構造。
【発明の詳細な説明】
【技術分野】
【０００１】
本発明は、例えば、タンクバンドによって車体に取り付けられる車載用の燃料タンクと、車体との間に介在される防振部材の取付構造に関する。
【背景技術】
【０００２】
従来から自動車に搭載される燃料タンクは、金属製のタンクバンドを、クロスメンバ等の車体にボルト締めすることによって車体に固定されている。燃料タンクは、例えば、特許文献１に開示されているように、この燃料タンクと車体との間にゴム製の防振部材を介在させることで、燃料タンク内の燃料が波立って発生する騒音や振動が車体に伝達されるのを抑制している。
【０００３】
特許文献１に開示された防振部材は、下面部に形成された第４突起および第５突起を燃料タンクに接着剤で固定し、上面部に形成した割り溝を有する第１突起および第２突起を車体のフロアパネルに接触させることで振動を吸収するクッションラバーからなる。
このようなクッションラバーは、接着剤によって燃料タンクに固定しているので、タンク上面に固定して下からバンド固定するのに対しては問題ないが、せん断方向の荷重がかかると剥がれ易いという問題点があった。
【０００４】
また、燃料タンクには、走行中に振動が伝わらないように、左右のサイドフレームや前後のクロスメンバとの間に所定間隔を介して配置されて、前後左右方向の側面にクッションラバーが設置されていない。このため、燃料タンクを車体に設置する場合には、前記クッションラバーによって上下方向の位置決めは容易に行うことができるが、車体の前後左右方向の位置決めが行い難い。さらに、それにより、前後左右方向の間隔をつめて容量を増やすことができないという問題点があった。
【０００５】
そこで、タンク側面と車体との間のクッションラバーを設けるこが考えられる。しかし、タンク側面に接着すると、タンク着脱時に剥がれ落ちるおそれがあるので、図６のように、固定孔２１０に係合させる形状が考えられる。この場合、穴が必要となるので、クッションラバー１００は、車体２００側に取り付ける。
【０００６】
図６は、以上の考えによって形成された従来の燃料タンク用の防振部材の取付構造を示す拡大断面図である。
このような問題点を解消する燃料タンク用の防振部材としては、図６に示すクッションラバー１００がある。このクッションラバー１００は、燃料タンク３００に当接する座部１１０と、車体２００の固定部位に穿設された固定孔２１０に係合する係止突起１２０と、を軟質材料であるゴムで一体形成されている。座部１１０の外周縁には、車体２００に圧接する凸部１３０が形成されている。係止突起１２０には、固定孔２１０の開口縁に係止する係止爪１４０が形成されている。
このように構成されたクッションラバー１００は、凸部１３０が車体２００の取付部位の表面に圧接し、係止爪１４０が固定孔２１０の開口縁に当接して係止されることによって車体２００に取り付けられている。
【０００７】
【特許文献１】特開２００６−１９２９４７号公報（段落００２０，００２２、図１〜図４）
【発明の開示】
【発明が解決しようとする課題】
【０００８】
しかしながら、図６に示すような防振部材の取付構造では、車体２００の固定孔２１０に係合する係止突起１２０が、振動を吸収する座部１１０に軟質材料であるゴムによって一体形成されているので、変形し易くなっている。このため、クッションラバー１００の係止突起１２０は、固定孔２１０に対しての係止力（抜去力）が小さく、燃料タンク３００の変形や横方向（スラスト方向）の外力によって固定孔２１０から離脱するという問題点があった。
また、ゴム全体を硬くすれば、係止力が上がるが挿入力も上がってしまい、作業性が落ち、さらに、防振性も落ちるという問題点があった。
【０００９】
また、従来のクッションラバー１００は、燃料タンク３００を車両に搭載させる作業時に、このクッションラバー１００をガイドとして取り付けようとした場合に、係止突起１２０が固定孔２１０の縁に係止する係止力が弱くて離脱するため、燃料タンク３００の取り付け用ガイドとして利用できないという問題点があった。
【００１０】
そこで、本発明は、前記問題点を解消すべく発明されたものであり、燃料タンクを車両に搭載する際の位置決め部材となると共に、車体にしっかりと容易に固定できる防振部材の取付構造を提供することを課題とする。
【課題を解決するための手段】
【００１１】
前記課題を解決するために、請求項１に記載の防振部材の取付構造は、タンクバンドによって車体に取り付けられる燃料タンクと、前記車体との間に介在される防振部材の取付構造において、前記車体には、前記タンクバンドの締付方向と直交する方向に固定孔が穿設され、前記防振部材は、前記固定孔に係止される係合突起を有する取付部材と、前記係合突起が挿入される貫通孔を有するクッション部材と、を備え、前記取付部材には、前記係合突起の基端部周辺部位から外方向に放射状に突出形成された複数の突出片が、一体形成され、前記クッション部材には、前記複数の突出片が係合すると共に、前記貫通孔の周辺部位から放射方向外方に向けて延設された段差部と、前記取付部材を当該クッション部材に組み付けた際に、前記貫通孔の周辺部位から放射方向外方に向けて配置される前記複数の突出片の間に介在されると共に、前記クッション部材の盤面から突出して形成されて前記燃料タンクの側面に当接する複数の突部と、が一体形成されていることを特徴とする。
【００１２】
請求項１に記載の発明によれば、車体には、タンクバンドの締付方向と直交する方向に固定孔が穿設されて、その固定孔に防振部材の係合突起が挿入されて取り付けられる。このため、燃料タンクは、タンクバンドによって車体に締め付けられている締付方向と直交する方向、つまり、燃料タンクが移動する可能性がある前後方向等の横方向（スラスト方向）に向けて防振部材の係合突起が設置されることになる。
また、防振部材には、車両が急停止した際に、燃料タンク内の燃料が前後方向に移動することによって燃料タンクおよび防止部材に負荷される荷重の向きと平行になるので、係止突起に抜去力が作用されず、抜けない方向に配置することができる。
その結果、防振部材は、前後方向の荷重を受け止めることができるので、係止突起の抜去力が向上されてしっかりと車体の固定孔に係止される。このため、防振部材は、車体に容易にしっかりと固定できると共に、燃料タンクを車両に搭載する際の位置決め部材（ガイドおよび位置決め用ストッパ）として使用することが可能となる。
クッション部材は、支持部が係合する段差部を有することにより、支持部と段差部とが係合して、クッション部材と取付部材を一体的に組み付けた状態で車体に取り付けることが可能となる。これにより、車体に取り付けられた防振部材は、クッション部材の外周部等に外力が負荷されて捲り上げられるような力を受けた場合であっても、取付部材の支持部が段差部を車体側に押さえ付けて、クッション部材の変形およびずれを抑制して車体の取付面に密着している状態を維持させることができる。その結果、係合突起が車体の固定孔から離脱する抜去力を向上させることができる。
クッション部材は、燃料タンクに当接する突部を有していることにより、その突起によって燃料タンクおよび取付部材の振動を吸収することができる。また、取付部材の突出片は、係合突起の基端部周辺部位から外方向に放射状に突出形成されていることにより、組付時に突起が締付力によって押圧されて、その突起が傾倒するように変形したり、ずれたりすることを支持部で支えて抑制することができる。また、クッション部材が横方向（スラスト方向）の荷重を受けて捲れるように変形することを取付部材の支持部によって抑制することができる。これにより、横方向の荷重が係合突起に負荷されるのが抑制されるので、係合突起が車体の固定孔から離脱する固定強度（抜去力）を向上させることができる。
突出片と段差部とは、互いに外方向に放射状に突出形成されて係合することにより、前後左右方向等の横方向（スラスト方向）の荷重でクッション部材が引き剥がされるように変形することを突出片によって抑制することができる。
【００１３】
請求項２に記載の防振部材の取付構造は、請求項１に記載の防振部材の取付構造であって、前記突出片は、正面視してＸ字状に形成されていることを特徴とする。
【００１４】
請求項２に記載の発明によれば、突出片は、正面視してＸ字状に形成されているとによって、クッション部材の段差部に係合して、取付部材で負荷を受け止めることができる。このため、上下方向の荷重でクッション部材が引き剥がされるように変形することを抑制することができる。
【００１５】
請求項３に記載の防振部材の取付構造は、請求項１に記載の防振部材の取付構造であって、前記突部には、切込溝が形成されていることを特徴とする。
【００１６】
請求項３に記載の発明によれば、突部は、切込溝が形成されていることによって、突部の先端部を変形し易くして適度な弾性を付与し、振動吸収性を向上させることができる。
【００１７】
請求項４に記載の防振部材の取付構造は、請求項３に記載の防振部材の取付構造であって、前記取付部材は、前記係合突起を前記クッション部材の前記貫通孔および車体の前記固定孔に挿通させた際に、前記固定孔の開口縁に係止する係止部を有することを特徴とする。
【００１８】
請求項４に記載の発明によれば、取付部材は、係合突起をクッション部材の貫通孔および車体の固定孔に挿通させた際に、取付部材の係合突起を車体の固定孔に押し込むことにより、係止部を固定孔の開口縁にいわゆるスナップフィットで係止させることができる。このため、取付部材およびクッション部材は、ワンタッチで車体に容易に固定させることができ、防振部材の車体への取付作業を簡素化させることができる。
【００１９】
請求項５に記載の防振部材の取付構造は、請求項１ないし請求項４のいずれか１項に記載の防振部材の取付構造であって、前記取付部材は、前記係合突起の基端部の周囲に形成されたフランジ部を有し、前記突出片は、前記フランジ部から外方向に突出形成されていることを特徴とする。
【００２０】
請求項５に記載の発明によれば、取付部材は、係合突起の基端部の周囲に形成されたフランジ部を有し、突出片が、フランジ部から外方向に突出形成されていることによって、車体に取り付けたクッション部材の外側部分が外力によって捲れるように変形するのを防止することができる。
【００２３】
請求項６に記載の防振部材の取付構造は、請求項１ないし請求項６のいずれか１項に記載の防振部材の取付構造であって、前記クッション部材は、合成ゴムによって形成され、前記取付部材は、前記クッション部材より硬質の合成樹脂によって形成されていることを特徴とする。
【００２４】
請求項６に記載の発明によれば、固定孔に挿入される係合突起を有する取付部材がクッション部材より硬質の合成樹脂によって形成されて樹脂化されたことにより、係合突起部の固定孔への挿入力を低減させながら必要な固定強度（抜去力）を確保することができる。
【発明の効果】
【００２５】
本発明に係る防振部材の取付構造によれば、燃料タンクを車両に搭載する際の位置決め部材となると共に、車体にしっかりと固定できる防振部材の取付構造を提供することができる。
【発明を実施するための最良の形態】
【００２６】
図１〜図５を参照して、本発明の実施形態に係る防振部材の取付構造を説明する。
図１は、本発明の実施形態に係る防振部材の取付構造を示す図であり、防振部材の配置位置を示す燃料タンクの斜視図である。図２は、本発明の実施形態に係る防振部材の取付構造を示す図であり、車体の設置した防振部材が燃料タンクに当接している状態を示す要部拡大断面図である。図３は、本発明の実施形態に係る防振部材の取付構造を示す図であり、防振部材の拡大正面図である。図４は、図３の矢視線Ｘ−Ｘ方向断面図である。図５は、本発明の実施形態に係る防振部材の取付構造を示す図であり、防振部材の設置状態を示す拡大分解斜視図である。
【００２７】
≪燃料タンクの構成≫
図１に示すように、燃料タンク１は、ガソリン、軽油、アルコール等の自動車用燃料を貯留するため合成樹脂製または金属製の中空状の溶器であり、図２に示すように、車体２のフロアパネル２１の下面等に配置されている。燃料タンク１の側面には、防振部材３が当接した状態に配置され、その防振部材３と対向する部位に防振部材３が当接する平坦な垂直面からなる当接面１ａ（図１参照）が複数形成されている。燃料タンク１は、この燃料タンク１が固定される車体２との間に防振部材３，４を介在してタンクバンド５を車体２にボルト締めすることによって車体２の床下に固定される。
【００２８】
≪車体の構成≫
車体２は、防振部材３が固定される車両の固定部材であり、例えば、フロアパネル２１またはクロスメンバ等のその他のフレーム部材等である。車体２には、タンクバンド５の締付方向（矢印Ａ方向）と直交する方向（前後方向）に四角形の固定孔２ａ（図４参照）が穿設されている。
フロアパネル２１は、車両の床面を形成するため部材であり、鋼板等の金属製平板部材からなる。
タンクバンド５は、燃料タンク１を車体２に固定させるための金属製の帯状の部材であり、燃料タンク１を抱持するようにしてボルト・ナットで車体２に固定される。
【００２９】
≪防振部材の構成≫
図１に示すように、防振部材３，４は、例えば、燃料タンク１の側面に配置されて横方向（スラスト方向）の荷重や振動や騒音を吸収するための側面用防振部材３と、燃料タンク１の上面に設置されて上下方向（ラジアル方向）の荷重や振動や騒音を吸収するための上面用防振部材４と、の２種類の部材を備えて構成されている。
【００３０】
＜側面用の防振部材の構成＞
図１に示すように、側面用の防振部材３は、例えば、燃料タンク１の前側の側面に適宜な間隔を介在して２個配置されている一対の部材からなる。なお、この側面用の防振部材３は、横方向（スラスト方向）の荷重を受けるものであればよく、燃料タンク１の前後左右の４面にそれぞれ当接するように配置してもよい。以下、側面用の防振部材３を燃料タンク１の前側の側面に当接するように車体２に配置した場合を例に挙げて本実施形態を説明する。
【００３１】
図２、図４および図５に示すように、側面用の防振部材３は、車体２のフロアパネル２１等に形成された垂直部２１ａに穿設された固定孔２ａに挿入される係合突起３１ａを一体形成した取付部材３１と、係合突起３１ａが挿通される貫通孔３２ａを有するクッション部材３２と、を備えて構成されている。つまり、側面用の防振部材３は、振動吸収用のクッション部材３２と、車体２への固定用の取付部材３１との２部品から構成されている。なお、側面用防振部材３は、特許請求の範囲に記載の「防振部材」に相当する。
【００３２】
＜取付部材の構成＞
図５に示すように、取付部材３１は、クッション部材３２を車体２に着脱可能に固定させるためのクリップ状の部材であり、合成樹脂によって形成されている。取付部材３１には、略角筒状に形成された係合突起３１ａと、係合突起３１ａの基端部から係合突起３１ａの突出した方向と直交する方向に突出してクッション部材３２を支持する支持部３１ｂと、固定孔２ａの開口縁に係止する係止部３１ｃと、が一体形成されている。この取付部材３１は、クッション部材３２より硬質の合成樹脂によって形成されている。
【００３３】
図４および図５に示すように、係合突起３１ａは、クッション部材３２の中央部に穿設された四角形の貫通孔３２ａおよび車体２の固定孔２ａに嵌入されて、クッション部材３２を車体２に対して回動しないように支持するものである。この係合突起３１ａの側面には、係止部３１ｃと、この係止部３１ｃの周囲に形成されて弾性を付与するための略コ字状のスリット溝３１ｅと、このスリット溝３１ｅによって形成された弾性片３１ｆと、先端部に形成された面取形状の傾斜面３１ｇと、が形成されている。
【００３４】
支持部３１ｂは、クリップ状の取付部材３１の頭部にあたる部位であって、係合突起３１ａを貫通孔３２ａおよび固定孔２ａ挿通させてクッション部材３２を車体２に取り付けた際に、クッション部材３２が車体２の取付面に密着するように押さえ付ける部位である。支持部３１ｂには、係合突起３１ａの基端部の周囲に形成されたフランジ部３１ｈと、このフランジ部３１ｈからさらに外側方向に突出した複数の突出片３１ｄと、が形成されている。支持部３１ｂは、係合突起３１ａの基端部周辺部位から突部３２ｃの裾部に向けて突出形成されて、クッション部材３２と組み合わせときに、突部３２ｃ，３２ｃ間に配置されるようになっている。
【００３５】
突出片３１ｄは、車体２に取り付けたクッション部材３２の外側部分が外力によって捲れるように変形するのを防止すると共に、突部３２ｃが外力によって屈曲するのを抑制するための部位である。突出片３１ｄは、例えば、係合突起３１ａの四角の基端部周辺部位から外方向に放射状に突出形成された４本のプロペラ形状（Ｘ字形状）の舌片からなり、クッション部材３２に形成された段差部３２ｂに係合される。
【００３６】
係止部３１ｃは、係合突起３１ａをクッション部材３２の貫通孔３２ａおよび車体２の固定孔２ａに挿通させた際に、固定孔２ａの開口縁に係止する爪状に形成された部位であり、例えば、係合突起３１ａの左右側面に形成されて、平面視して略三角形の山状に形成されている。
【００３７】
弾性片３１ｆは、支持部３１ｂと係止部３１ｃとの間に貫通孔３２ａおよび固定孔２ａを介在させたときに、係止部３１ｃの斜面を固定孔２ａの縁に弾性的に接触させて、係止部３１ｃが固定孔２ａから離脱するのを防止するためものである。この弾性片３１ｆは、係合突起３１ａの左右側面にそれぞれ形成されている。
【００３８】
スリット溝３１ｅは、弾性片３１ｆに弾性力（ばね力）を付与して、係止部３１ｃを固定孔２ａの縁にがたつきなく圧接させるために形成された溝であり、係止部３１ｃの周部に略コ字状に形成されて弾性片３１ｆを形成している。
【００３９】
＜クッション部材の構成＞
図５に示すように、クッション部材３２は、燃料タンク１にかかる荷重や振動や騒音を吸収するための部材であり、例えば、合成ゴムや軟質の合成樹脂や発泡樹脂等によって略円盤状に形成されている。このクッション部材３２は、貫通孔３２ａと、支持部３１ｂが係合する段差部３２ｂと、燃料タンク１に当接する突部３２ｃと、この突部３２ｃに形成された切込溝３２ｄと、を有している。クッション部材３２は、燃料タンク１に当接する後面側に段差部３２ｂおよび切込溝３２ｄが形成され、車体２に当接する前面側が平らな面または凹凸面状に形成されている。
【００４０】
貫通孔３２ａは、係合突起３１ａが挿通される孔であり、断面が四角形の係合突起３１ａの形状に合わせてクッション部材３２の中央部に四角形に形成されて、クッション部材３２が回動するのを防止するように形成されている。
【００４１】
段差部３２ｂは、複数の突出片３１ｄが係合して支持部３１ｂ全体が面一に嵌合する窪みであり、突出片３１ｄに合わせて貫通孔３２ａの周辺部位から放射方向外方に向けてＸ字形状に形成されている。段差部３２ｂは、取付部材３１をクッション部材３２に嵌入させることによって、支持部３１ｂに当接する側壁と、各突出片３１ｄ間に配置される突部３２ｃの裾部に連続する側壁が支持部３１ｂに支持されることで、突部３２ｃが外力で型崩れするように変形するのを抑制することができるように形成されている。
【００４２】
図５に示すように、突部３２ｃは、燃料タンク１の外面（前側の側面）に当接して振動や衝撃や外力等の荷重が負荷される部位であり、クッション部材３２の盤面から突出した略山状に形成されて、中央外周面に切込溝３２ｄが形成されている。
その切込溝３２ｄは、突部３２ｃの先端部を変形し易くして適度な弾性を付与し、振動吸収性を向上させるために形成された溝である。この切込溝３２ｄは、切口が外周面に沿って略円弧状に形成された溝であり、突部３２ｃを二分するように形成されている。
【００４３】
＜上面用の防振部材の構成＞
図１に示すように、上面用の防振部材４は、複数の山状突起を有するクッションラバーであり、接着剤によって燃料タンク１の上面の前後左右の４箇所に固定されている。上面用の防振部材４は、合成ゴムによって形成された１つの略厚板状の部品から構成されている。なお、この上面用の防振部材４は、側面用の防振部材３と同じものを使用しても構わない。
【００４４】
≪作用≫
次に、図１〜図５を参照して本発明の実施形態に係る防振部材３の取付構造の作用を取り付け手順と共に説明する。
【００４５】
まず、図１に示すように、燃料タンク１の上面の前後左右の４箇所に上面用の防振部材４を接着剤で固定する。
次に、図５に示すように、取付部材３１をクッション部材３２に組み付けて一体化させる。この場合、係合突起３１ａを貫通孔３２ａに挿入しながら、４つの突出片３１ｄをそれぞれ段差部３２ｂに嵌合させ、取付部材３１をクッション部材３２に装着させる。
【００４６】
このようにしてクッション部材３２に組み付けられた取付部材３１は、クッション部材３２に対して、係止部３１ｃが貫通孔３２ａに当接して係止するので、両部材を組み付けた状態で保管しても両部材がバラバラになることがなく、部品の管理がし易い。
【００４７】
次に、図５に示すように、防振部材３（取付部材３１およびクッション部材３２）を、燃料タンク１が配置されるフロアパネル２１等の垂直部２１ａの複数個所に取り付ける。この場合、取付部材３１を押圧して係合突起３１ａを固定孔２ａに押し込む。
すると、係止部３１ｃは、図４に示すように、固定孔２ａの縁に摺接しながら固定孔２ａ内に入り込むことによって、弾性片３１ｆが内側方向に撓んで弾性力が発生し、山状の係止部３１ｃの斜面が固定孔２ａに圧接した状態で係合する。このため、防振部材３は、取付部材３１の支持部３１ｂと係止部３１ｃとによって、クッション部材３２とフロアパネル２１とを弾性的に挟持するので、がたつきなくしっかりと車体２に固定される。
【００４８】
したがって、防振部材３は、自動車の振動や外力等によって車体２から落下することが抑制される。このように、側面用の防振部材３は、係止部３１ｃによるいわゆるスナップフィットによりワンタッチで取り付けられるため、車体２に容易に取り付けることができると共に、適度な挿入力と固定強度（抜去力）を確保した燃料タンク１用のタンク当てクッション材を得ることができる。
【００４９】
次に、図２に示すように燃料タンク１を車体２の真下かあら防振部材３にガイドさせながら、防振部材４がフロアパネル２１に当接するまで上昇させる。このようにすることによって、燃料タンク１が防振部材３，４によりガイドされて所定の位置決めした状態に配置することが可能な位置決め用ストッパとして使用できるため、燃料タンク１の取付作業の作業効率を向上させることができる。
【００５０】
そして、タンクバンド５で燃料タンク１の下面を抱持するようにして車体２にボルト締めすることによって、燃料タンク１を車体２に固定させることができる。
このとき、側面用の防振部材３は、タンクバンド５が車体２にボルト締めされるとき等の上下の座面方向（矢印Ａ方向）の荷重が負荷されたとしても、図３〜図５に示すように、合成樹脂で形成された取付部材３１のＸ字状（十字状）に形成した突出片（支持部３１ｂ）３１ｄが、ゴム等の軟質材料で形成されたクッション部材３２の段差部３２ｂに係合して、取付部材３１で負荷を受け止めることができる。このため、上下方向（図２の矢印Ａ方向）の荷重でクッション部材３２が引き剥がされるように変形することを抑制することができる。
【００５１】
このようにして車体２に取り付けられた側面用の防振部材３および燃料タンク１は、例えば、車両走行中に急ブレーキをした場合に、燃料タンク１内の燃料が前側に移動すること等によって波立って騒音や振動や慣性力が発生する。
それらの騒音や振動や慣性力は、燃料タンク１の前側に配置された側面用の防振部材３を介在して車体２に伝達される際に、クッション部材３２によって吸収されて減衰されてから車体２に伝達される。
【００５２】
この場合、車体２には、側面用の防振部材３が、タンクバンド５の締付方向（Ａ方向）と直交する方向に穿設された固定孔２ａに係合突起３１ａの係止部３１ｃが係止されているので、側面用の防振部材３がこのときの慣性力（前後方向の荷重）を受け止めて緩和することができる。そして、慣性力の方向と係合突起３１ａの突出方向が同じ方向であるので、取付部材３１は、後方向の荷重が負荷されないので、抜去力が向上されてしっかりと車体２の固定孔２ａに係止されて脱落することが防止される。
【００５３】
このため、側面用の防振部材３は、取付部材３１とクッション部材３２との２部品から構成されていても、取付部材３１の支持部３１ｂと係合突起３１ａの係止部３１ｃとによって、クッション部材３２とフロアパネル２１とを挟持した状態が維持されるため、クッション部材３２が取付部材３１から分離して脱落することを防止することができる。
【００５４】
また、ゴム等の軟質材料で形成されて燃料タンク１に当接するクッション部材３２の突部３２ｃは、係合突起３１ａの基端部周辺部位から突部３２ｃの裾部に向けて支持部３１ｂが突出形成されて支持されていることにより、燃料タンク１に押圧されて傾倒するように屈曲変形することを支持部３１ｂで支えて抑制することができる。
クッション部材３２は、上下方向の荷重を受けて捲れるように変形することをその支持部３１ｂによって抑制することができる。これにより、上下方向の荷重が係合突起３１ａに負荷されるのが抑制されるので、係合突起３１ａが車体２の固定孔２ａから離脱する抜去力を向上させることができる。
【００５５】
≪変形例≫
なお、本発明は、前記実施形態に限定されるものではなく、その技術的思想の範囲内で種々の改造および変更が可能であり、本発明はこれら改造および変更された発明にも及ぶことは勿論である。
【００５６】
前記実施形態では、図１に示すように、側面用の防振部材３を燃料タンク１の前側側面の車体２に設置した場合を例に挙げて説明したが、側面用の防振部材３の取り付け位置は、これに限定されるものではなく、燃料タンク１の側面部位であれば左右側面でも後側側面であっても構わない。このようにすれば、側面用の防振部材３の防振性をさらに向上させることができる。
【図面の簡単な説明】
【００５７】
【図１】本発明の実施形態に係る防振部材の取付構造を示す図であり、防振部材の配置位置を示す燃料タンクの斜視図である。
【図２】本発明の実施形態に係る防振部材の取付構造を示す図であり、防振部材の設置状態を示す要部拡大断面図である。
【図３】本発明の実施形態に係る防振部材の取付構造を示す図であり、防振部材の拡大正面図である。
【図４】図３の矢視線Ｘ−Ｘ方向断面図である。
【図５】本発明の実施形態に係る防振部材の取付構造を示す図であり、防振部材の設置状態を示す拡大分解斜視図である。
【図６】従来の燃料タンク用の防振部材の取付構造を示す拡大断面図である。
【符号の説明】
【００５８】
１      燃料
２ａ    固定孔
３      側面用の防振部材（防振部材）
４      上面用の防振部材
５      タンクバンド
２１    フロアパネル
３１    取付部材
３１ａ  係合突起
３１ｂ  支持部
３１ｃ  係止部
３１ｄ  突出片
３２    クッション部材
３２ａ  貫通孔
３２ｂ  段差部
３２ｃ  突部
Ａ      締付方向
【図１】
0004473902.tif 000002
【図２】
0004473902.tif 000003
【図３】
0004473902.tif 000004
【図４】
0004473902.tif 000005
【図５】
0004473902.tif 000006
【図６】
0004473902.tif 000007